(57)【要約】【課題】摩耗を抑制して耐久性を向上させると共に静電オフセットやホットオフセット等を防止できる定着部材を備える定着装置を提供する。【解決手段】定着装置１６は、加熱される定着部材３１と、定着部材３１との間に定着ニップ４５を形成する加圧部材３３と、を有し、定着ニップ４５においてトナー転写後の用紙を挟持搬送しつつトナーを加熱及び加圧して用紙に定着する。定着部材３１は、用紙と接触する表層３７を備える。表層３７は、フッ素樹脂４０と、フッ素樹脂４０中に分散される導電性針状フィラー４１と、を有する。導電性針状フィラー４１は、長手方向の長さをＬ１、短手方向の長さをＬ２としたときのアスペクト比Ｌ１／Ｌ２が７以上、３０以下、粉体抵抗が５Ω・ｃｍ以上、１００Ω・ｃｍ以下、フッ素樹脂４０に対する体積含有率が１％以上、９％以下である。【選択図】図３
2017156669.tif 000002
【特許請求の範囲】
【請求項１】
加熱される定着部材と、該定着部材との間に定着ニップを形成する加圧部材と、を有し、前記定着ニップにおいてトナー転写後の用紙を挟持搬送しつつトナーを加熱及び加圧して用紙に定着する定着装置であって、
前記定着部材は、前記用紙と接触する表層を備え、
前記表層は、フッ素樹脂と、該フッ素樹脂中に分散される導電性針状フィラーと、を有し、
前記導電性針状フィラーは、長手方向の長さをＬ１、短手方向の長さをＬ２としたときのアスペクト比Ｌ１／Ｌ２が７以上、３０以下、粉体抵抗が５Ω・ｃｍ以上、１００Ω・ｃｍ以下、前記フッ素樹脂に対する体積含有率が１％以上、９％以下であることを特徴とする定着装置。
【請求項２】
前記導電性針状フィラーは、酸化スズ、アンチモンドープ酸化スズ、アンチモンドープ酸化スズ被覆酸化チタン、のいずれかであることを特徴とする請求項１に記載の定着装置。
【請求項３】
前記フッ素樹脂は、メルトフローレートが２以下であることを特徴とする請求項１又は２に記載の定着装置。
【請求項４】
前記定着部材は導電性の基層を有し、前記表層は前記基層の表面に設けられていることを特徴とすることを特徴とする請求項１〜３のいずれか１項に記載の定着装置。
【請求項５】
請求項１〜４のいずれか１項に記載の定着装置を備えていることを特徴とする画像形成装置。
【発明の詳細な説明】
【技術分野】
【０００１】
本発明は、トナー像を用紙に定着する定着装置及びこの定着装置を備える画像形成装置に関する。
【背景技術】
【０００２】
画像形成装置においては、用紙に転写されたトナー像は、定着装置によって加熱及び加圧されて用紙に定着される。定着装置は、加熱される定着ローラーや定着ベルト等の定着部材と加圧部材とを有し、定着部材と加圧部材との間に形成される定着ニップを用紙が通過する際に、トナー像が加熱及び加圧されて用紙に定着される。
【０００３】
定着部材は、一般的に、導電性の基層と、用紙に接触する表層と、を有している。表層には、離型性の良好なフッ素樹脂が使用される場合が多い。また、定着装置には、トナー像が転写された後で、定着部材から用紙を分離するための分離部材が備えられている場合もある。
【０００４】
このような定着部材は、以下に述べるような課題を満足する必要がある。第１の課題は、分離部材や用紙の後端と表層との接触による表層の摩耗の防止である。第２の課題は、表層の抵抗値が高い場合に、表層が用紙との摩擦等によって電荷を帯び、この電荷に、用紙に転写されたトナーが静電的に引き寄せられ、引き寄せられたトナーが用紙に再転写されて定着される現象（静電オフセット）の防止である。第３の課題は、表層の抵抗値が低い場合に、トナーが飛散して画像に尾引きが発生する現象（尾引きオフセット）の防止である。第４の課題は、表層の離型性が低下することで、加熱により溶融されたトナーが定着部材に付着して画像不良となる現象（ホットオフセット）の防止である。
【０００５】
第１の課題と第２の課題を解決する対策として、導電性フィラーを表層に含有させることが考えられる。しかし、この場合、表層の離型性が低下するので、第４の課題であるホットオフセットの防止を満足できない。これらの課題を全て満足するには、少量の導電性フィラーを表層に含有させることが必要となるが、表層の抵抗が低すぎると、第３の課題である尾引きオフセットの防止を満足できない。このように全ての課題を満足することは困難である。
【０００６】
このような課題に対して、特許文献１には、導電性の針状繊維をフッ素樹脂に含有させた表層を有する定着部材が記載されている。また、特許文献２には、炭化ケイ素をフッ素樹脂に含有させた表層を有する定着部材が記載されている。さらに、特許文献３には、フッ素樹脂と、導電性酸化物で被覆されて繊維物質と、アクリル酸樹脂と、液体媒体で形成される表層を有する定着部材が記載されている。
【０００７】
さらに特許文献４には、粒径５μｍ以下のグラファイト粉末をフッ素樹脂に１〜１０ｗｔ％含有させた表層を有する定着部材が記載されている。さらに、特許文献５には、カーボンナノチューブ又はカーボンナノファイバーをフッ素樹脂に含有させた表層を有する定着部材が記載されている。さらに、特許文献６には、融点の異なる二種類のフッ素樹脂を有し、融点の高いフッ素樹脂粒子の周囲が金属粒子で被覆されている表層を有する定着部材が記載されている。
【先行技術文献】
【特許文献】
【０００８】
【特許文献１】特開平３−２８４７８１号公報
【特許文献２】特開昭６０−１０７６７０号公報
【特許文献３】特開平２−８５号公報
【特許文献４】特開平９−２３７００７号公報
【特許文献５】特開２００７−３０４３７４号公報
【特許文献６】特開２００５−３０２６９１号公報
【発明の概要】
【発明が解決しようとする課題】
【０００９】
しかしながら上記特許文献２に記載の定着部材においては、炭化ケイ素の体積抵抗率が１０６Ω・ｃｍ程度と高いので、表層の導電性が不十分である虞がある。また、特許文献４に記載の定着部材においては、グラファイト粉末の粒径が大きいため、表層の表面粗さが高くなり、離型性が低下する虞がある。特許文献５に記載の定着部材において、カーボンナノチューブを用いる場合はコストが上昇する。また、カーボンナノファイバーを用いる場合は、アスペクト比が大きいため表層の表面粗さが高くなり、離型性が低下する虞がある。特許文献６に記載の定着部材においては、表層を形成する工程が複雑であり、量産化が困難である。
【００１０】
一方で、特許文献１や特許文献３に記載されている定着部材に含有される導電性の繊維状フィラーは好ましい材料と考えられるが、アスペクト比や粉体抵抗等の材料特性を選定することで、より良好な定着特性を発揮できる可能性がある。
【００１１】
そこで、本発明は上記事情を考慮し、耐久性を向上できると共に静電オフセットやホットオフセット等を防止できる定着部材を備える定着装置及びこの定着装置を備えた画像形成装置を提供することを目的とする。
【課題を解決するための手段】
【００１２】
上記目的を達成するため、本発明の定着装置は、加熱される定着部材と、該定着部材との間に定着ニップを形成する加圧部材と、を有し、前記定着ニップにおいてトナー転写後の用紙を挟持搬送しつつトナーを加熱及び加圧して用紙に定着する定着装置であって、前記定着部材は、前記用紙と接触する表層を備え、前記表層は、フッ素樹脂と、該フッ素樹脂中に分散される導電性針状フィラーと、を有し、前記導電性針状フィラーは、長手方向の長さをＬ１、短手方向の長さをＬ２としたときのアスペクト比Ｌ１／Ｌ２が７以上、３０以下、粉体抵抗が５Ω・ｃｍ以上、１００Ω・ｃｍ以下、前記フッ素樹脂に対する体積含有率が１％以上、９％以下であることを特徴とする。
【００１３】
このような構成を採用することにより、表層の離型性を損なわずに耐摩耗性を維持することができる。さらに、表層に適宜な導電性を付与することで、静電オフセットやホットオフセットを防止できる。
【００１４】
本発明の定着装置において、前記導電性針状フィラーは、酸化スズ、アンチモンドープ酸化スズ、アンチモンドープ酸化スズ被覆酸化チタン、のいずれかであることを特徴としても良い。
【００１５】
このような構成を採用することにより、適宜な導電性を表層に付与することができる。
【００１６】
本発明の定着装置において、前記フッ素樹脂は、メルトフローレートが２以下であることを特徴としても良い。
【００１７】
このような構成を採用することにより、表層の機械強度を高め、耐摩耗性を向上できる。
【００１８】
本発明の定着装置において、前記定着部材は導電性の基層を有し、前記表層は前記基層の表面に設けられていることを特徴とすることを特徴としても良い。
【００１９】
このような構成を採用することにより、定着部材の構成を簡易化できる。
【００２０】
本発明の画像形成装置は、上記したいずれかの定着装置を備えていることを特徴とする。
【発明の効果】
【００２１】
本発明によれば、表層の摩耗を抑制して耐久性を向上させると共に静電オフセットやホットオフセット等を防止することができる。
【図面の簡単な説明】
【００２２】
【図１】本発明の一実施形態に係るプリンターの概略を示す模式図である。
【図２】本発明の一実施形態に係る定着装置を模式的に示す正面図である。
【図３】本発明の一実施形態に係る定着装置において、定着部材を模式的に示す断面図である。
【発明を実施するための形態】
【００２３】
以下、図面を参照しつつ本発明の実施形態に係る定着装置及び画像形成装置について説明する。
【００２４】
まず、図１を用いて、プリンター１（画像形成装置）の全体の構成について説明する。図１は本発明の一実施形態に係るプリンターの概略を示す模式図である。以下の説明では、図１における紙面手前側をプリンター１の正面側（前側）とし、左右の向きプリンターを正面から見た方向を基準とする。
【００２５】
プリンター１は、箱型形状の筐体２を備えており、筐体２の下部には用紙を収納する給紙カセット３が着脱可能に収容されている。給紙カセット３の右上には、給紙カセット３から用紙を給紙する給紙装置４が設けられている。また、筐体２の上面には排紙トレイ５が設けられている。
【００２６】
給紙カセット３の上方には、レーザー・スキャニング・ユニット（ＬＳＵ）で構成される露光装置７と、画像形成部８とが設けられている。画像形成部８は、回転可能に設けられる感光体ドラム９を有し、感光体ドラム９の周囲には、帯電装置１０と、現像装置１１と、転写ローラー１２と、クリーニング装置１３とが、感光体ドラム９の回転方向（図１の矢印Ｘ参照）に沿って配置されている。現像装置１１は、トナーを収容するトナーコンテナ１４に接続されている。画像形成部８の上方には定着装置１６が設けられ、定着装置１６の上方には、排紙装置１７が設けられている。
【００２７】
さらに、筐体２の内部には、給紙装置４から、感光体ドラム９と転写ローラー１２との間に形成される転写部２０と、定着装置１６とを通って排紙装置１７に向かう用紙の搬送経路２２が設けられている。
【００２８】
次に、このような構成を備えたプリンター１の画像形成動作について説明する。帯電装置１０によって感光体ドラム９の表面が帯電された後、露光装置７からのレーザー光（図１の一点鎖線Ｐ参照）により感光体ドラム９に対して画像データに対応した露光が行われ、感光体ドラム９の表面に静電潜像が形成される。静電潜像は、現像装置１１において、トナーコンテナ１３から供給されるトナーによってトナー像に現像される。
【００２９】
一方、給紙装置４によって給紙カセット３から取り出された用紙は、上記した画像形成動作とタイミングを合わせて画像形成部８へと搬送され、転写部２０で感光体ドラム９上のトナー像が用紙に転写される。トナー像を転写された用紙は、搬送経路２２を下流側へと搬送されて定着装置１６に進入し、この定着装置１６において用紙にトナー像が定着される。トナー像が定着された用紙は、排紙装置１７によって排紙トレイ５に排出される。感光体ドラム９上に残留したトナーは、クリーニング装置１３によって回収される。
【００３０】
次に、定着装置１６について、図２及び図３を参照して説明する。図２は定着装置を模式的に示す側面図、図３は定着装置のプライマー層を模式的に説明する図であり、図３（Ａ）は平面図、図３（Ｂ）は断面図である。
【００３１】
図２に示されるように、定着装置１６は、内側から加熱される定着部材としての定着ローラー３１と、定着ローラー３１を加熱するハロゲンヒーター３２と、定着ローラー３１に圧接される加圧部材としての加圧ローラー３３と、定着ローラーに圧接される分離部材３４と、を備えている。
【００３２】
図３に示されるように、定着ローラー３１は、導電性の基層である円筒状の芯金３５と、芯金３５の外周面にプライマー層３６を介して設けられる表層３７と、を有している。芯金３５は、例えば、厚さが０．５５ｍｍ、径が３０ｍｍのアルミニウム管を使用できる。プライマー層３６は、例えば、絶縁性のバインダー樹脂を使用できる。
【００３３】
表層３７は、フッ素樹脂４０と、フッ素樹脂４０中に分散される導電性の針状フィラー４１と、を有している。フッ素樹脂４０としては、ＰＦＡ（テトラフルオロエチレン−パーフルオロアルキルビニルエーテル共重合体）やＰＴＦＥ（ポリテトラフルオロエチレン）等を使用できる。導電性針状フィラー４１としては、酸化スズ、アンチモンドープ酸化スズ、アンチモンドープ酸化スズ被覆酸化チタン等を使用できる。また、図３に示されるように、一部の導電性針状フィラー４１の先端Ｔは、表層３７の表面から突出していてもよい。
【００３４】
定着ローラー３１は回転可能に支持されている。また、芯金３５は筐体２を介して接地されている。
【００３５】
ハロゲンヒーター３２は、図２に示されるように、定着ローラー３１の内部に配置され、定着ローラー３１の内周面に対して輻射熱を放射して定着ローラー３１を加熱する。加圧ローラー３３は、円筒状の芯金と、芯金の外周面に設けられた弾性層と、弾性層の外周面に接着層を介して設けられた離型層と、を有している。加圧ローラー３３は回転可能に支持されて、定着ローラー３１に圧接して定着ローラー３１との間に定着ニップ４５を形成する。分離部材３４は、定着ローラー３１の回転方向において定着ニップ４５よりも下流側に配置されて、定着ローラー３１の表面に定着ローラー３１の回転方向に対するカウンター方向から当接している。
【００３６】
上記説明した定着装置１６において、用紙にトナーを定着させる際には、ハロゲンヒーター３２を稼働させて定着ローラー３１を加熱する。搬送経路２２に沿って搬送されてきた用紙は、定着ニップ４５を通過する際にトナー像が加熱及び加圧されて用紙に定着される。定着ニップ４５を通過した用紙は、分離部材３４によって定着ローラーから分離されて、排紙装置１７によって排紙トレイ５に排出される。
【００３７】
次に、定着ローラー３１の表層３７におけるフッ素樹脂４０と導電性針状フィラー４１の材料特性の好ましい値を、画像形成装置１を用いて形成された画像の評価結果を基にして選定した結果について説明する。材料特性は、フッ素樹脂４０のメルトフローレート（ＭＦＲ）と、導電性針状フィラー４１のアスペクト比、粉体抵抗、フッ素樹脂４０に対する含有率である。所定の試験機（京セラドキュメントソリューションズ株式会社製プリンター  ＬＳ−４２００ＤＮ（商品名））を用いて、所定の印字率のテストチャートを普通紙に形成し、摩耗耐久枚数、ホットオフセット温度、静電オフセット、尾引きオフセットを評価した。
【００３８】
摩耗耐久枚数は、形成された画像を目視にて観察し、定着ローラー３１に発生した摩耗や損傷に起因する画像不良が発生した印字枚数を示す。ホットオフセット温度は、定着ローラー３１の温度を所定の温度から段階的に上げて、最初にホットオフセットが発生した温度を示す。静電オフセットと尾引きオフセットは、形成された画像を目視にて観察し、オフセットと尾引きがそれぞれ発生した印字枚数を示す。
【００３９】
最初に、フッ素樹脂４０のメルトフローレートについて説明する。メルトフローレートは、所定の温度及び荷重の条件下で、ＪＩＳ  Ｋ７２１０に準じた測定方法によって測定した。測定装置は、立山科学工業株式会社製のメルトインデクサＬ２８０を使用した。導電性針状フィラー４１の材料特性と含有率は一定として、メルトフローレート（ＭＦＲ）が、２、７、１５、３０のフッ素樹脂４０（ＰＦＡ）を用いて定着ローラー３１を形成し、この定着ローラー３１を備えた定着装置１６を試験機に搭載して印字試験を行い、摩耗耐久枚数を判定した。その結果を表１に示す。
【００４０】
【表１】
2017156669.tif 000003
【００４１】
表１から、フッ素樹脂４０のメルトフローレートは２以下が好ましいことが確認される。これは、メルトフローレートが小さいと、定着ローラー３１がハロゲンヒーター３２で加熱されたり分離部材３４で圧接されたりしても軟化し難いので、耐摩耗性が向上したためと考えられる。
【００４２】
次に、導電性針状フィラー４１のアスペクト比について説明する。アスペクト比は、導電性針状フィラー４１の長手方向の長さＬ１に対する短手方向の長さＬ２の比Ｌ１／Ｌ２である。
【００４３】
フッ素樹脂４０のメルトフローレートは一定とし、導電性針状フィラー４１の粉体抵抗は１０Ω・ｃｍ、フッ素樹脂４０に対する体積含有率は５％として、アスペクト比が、３、７、１２、３０、５０、８０、１２０の導電性針状フィラー４１を用いて定着ローラー３１を形成し、この定着ローラー３１を備えた定着装置１６を試験機に搭載して印字試験を行い、摩耗耐久枚数とホットオフセット温度を判定した。その結果を表２に示す。
【００４４】
【表２】
2017156669.tif 000004
【００４５】
表２から、摩耗耐久枚数に関しては、アスペクト比は７以上が好ましいことがわかる。これは、アスペクト比が高いと、導電性針状フィラー４１がフッ素樹脂４０内に網目状に分散されるので高い機械強度を得ることができるが、アスペクト比が小さい場合には、機械強度を得にくいので、摩耗耐久性が不十分となるためと考えられる。
【００４６】
ホットオフセット温度に関しては、アスペクト比は３０以下が好ましいことがわかる。これは、アスペクト比が高い場合、導電性針状フィラー４１が表層３７の表面に露出しやすくなり、表層３７の離型性が低下することで、ホットオフセットが発生しやすくなったものと考えられる。なお、導電性針状フィラー４１は、先端が表層３７の表面から突出するように含有されており、表面に露出する面積を比較的狭くできるので、表層３７の離型性が大きく損なわれることがない。
【００４７】
次に、導電性針状フィラー４１の粉体抵抗について説明する。粉体抵抗は、導電性針状フィラー４１を任意の圧力（９．８ＭＰａ）で固めて粉体成形品（ペレット）を形成し、所定の印加電圧にて計測した抵抗を示す。測定装置として、株式会社三菱化学アナリテック製の粉体抵抗測定システムＭＣＰ−ＰＤ５１型を使用した。
【００４８】
フッ素樹脂４０のメルトフレートは一定とし、導電性針状フィラー４１のアスペクト比は１２、フッ素樹脂４０に対する体積含有率は５％として、粉体抵抗が、０．１６、５、１０、６０、１００、２０００、１００００００Ω・ｃｍの導電性針状フィラー４１を用いて定着ローラー３１を形成し、この定着ローラー３１を備えた定着装置１６を試験機に搭載して印字試験を行い、静電オフセットと尾引きオフセットを判定した。その結果を表３に示す。
【００４９】
【表３】
2017156669.tif 000005
【００５０】
表３から、静電オフセットに関しては、粉体抵抗は１００Ω・ｃｍ以下が好ましいことがわかる。これは、粉体抵抗が２０００Ω・ｃｍ以上と高い場合は、表層３７が十分に低抵抗化されずに帯電しやすくなるので、静電オフセットが起こりやすいためと考えられる。
【００５１】
尾引きオフセットに関しては、粉体抵抗は５Ω・ｃｍ以上が好ましいことがわかる。これは、粉体抵抗が低い場合は表層３７の抵抗が低くなり、トナーが飛散しやすくなるためと考えられる。
【００５２】
次に、導電性針状フィラー４１のフッ素樹脂４０に対する体積含有率について説明する。フッ素樹脂４０のメルトフローレートは一定とし、導電性針状フィラー４１のアスペクト比は１２、粉体抵抗は１０Ω・ｃｍとして、体積含有率が、０、１、３、５、９、１２、２０％の定着ローラー３１を形成し、この定着ローラー３１を備えた定着装置１６を試験機に搭載して印字試験を行い、摩耗耐久枚数、静電オフセット、尾引きオフセット、ホットオフセットを判定した。その結果を表４に示す。
【００５３】
【表４】
2017156669.tif 000006
【００５４】
表４より、摩耗耐久性に関しては、導電性針状フィラー４１は１％以上含有されることが好ましいことがわかる。これは、導電性針状フィラー４１が含有されることで、表層３７の機械強度が高くなり、耐摩耗性が向上するためと考えられる。
【００５５】
静電オフセットに関しても、導電性針状フィラー４１は１％以上含有されることが好ましいことがわかる。これは、導電性針状フィラー４１がフッ素樹脂４０に含有されることで表層３７の導電性が低下するためと考えられる。
【００５６】
尾引きオフセットに関しては、体積含有率は、１２％以下が好ましいことがわかる。これは、導電性針状フィラー４１の体積含有率が高くなると、表層３７の導電性が低下しすぎたり、表層３７の離型性が低下したりして、尾引きが発生するためと考えられる。
【００５７】
ホットオフセット温度に関しては、体積含有率は、９％以下が好ましいことがわかる。これは、体積含有率が高い場合、導電性針状フィラー４１が表層３７の表面に露出しやすくなり、表層３７の離型性が低下することで、ホットオフセットが発生しやすくなったものと考えられる。
【００５８】
上記の結果より、フッ素樹脂４０のメルトフローレートは、２以下が好ましいことがわかる。また、導電性針状フィラー４１のアスペクト比は７以上、３０以下、粉体抵抗は５Ω・ｃｍ以上、１００Ω・ｃｍ以下、フッ素樹脂に対する体積含有率が１％以上、９％以下が好ましいことがわかる。
【００５９】
上記説明したように本発明における定着装置１６の定着ローラー３１においては、表層３７のフッ素樹脂４０のメルトフローレートを２以下とすることで、表層３７の耐摩耗性を向上できる。さらに、フッ素樹脂４０に導電性針状フィラー４１を含有させることで、離型性を損なわずに導電性を付与することができる。詳細には、アスペクト比が２以下、粉体抵抗が５Ω・ｃｍ以上、１００Ω・ｃｍ以下の導電性針状フィラー４１をフッ素樹脂４０に対して、１％以上、９％以下の体積含有率で含有させることで、耐摩耗性を維持しつつ、静電オフセットやホットオフセット、尾引きを防止することができる。したがって、分離部材３４や用紙との接触による摩耗を抑制し、静電オフセット、ホットオフセット、尾引きのない良好な画像を形成することができる。
【００６０】
また、定着ローラー３１は、芯金３５と、芯金３５の外周面にプライマー層３６を介して設けられる表層３７と、で形成されており、弾性層を有していないので、定着ローラー３１を簡易な構成とできる。
【００６１】
なお、フッ素樹脂４０としては、ＰＦＡやＰＴＦＥ以外の材料を使用することができる。また、導電性針状フィラー４１としても、酸化スズ、アンチモンドープ酸化スズ、アンチモンドープ酸化スズ被覆酸化チタン以外の材料を使用することができる。また、「針状」には、アスペクト比が２以下の繊維状や棒状の形状も含むものとする。
【００６２】
また、本実施形態では、定着ローラー３１を用いるローラー定着方式の定着装置１６について説明したが、定着ベルトを用いるベルト定着方式の定着装置にも本発明を適用することができる。
【００６３】
さらに、本発明の実施形態では、プリンター１に本発明の構成を適用した場合について説明したが、他の異なる実施形態では、複写機、ファクシミリ、複合機等のプリンター１以外の画像形成装置に本発明の構成を適用しても良い。
【００６４】
さらに、上記した本発明の実施形態の説明は、本発明に係る定着装置及び画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６５】
１  プリンター（画像形成装置）
３１  定着ローラー（定着部材）
３３  加圧ローラー（加圧部材）
３５  芯金（基層）
３７  表層
４０  フッ素樹脂
４１  導電性針状フィラー
４５  定着ニップ
【図１】
2017156669.tif 000007
【図２】
2017156669.tif 000008
【図３】
2017156669.tif 000009